(57)【要約】【課題】従来における制御盤内の機器の故障表示や運転状態等の表示は、盤内に設置したＬＥＤランプによる表示と、そのランプの意味を印刷した取扱説明書を見て確認していたが、ランプや文字が小さいため見にくく、また情報量が少なく分かりにくいという問題点があった。【解決手段】この制御盤用情報表示装置は、小型プロジェクター６とマイコンボード部７を具備した情報表示装置本体３を制御盤１内に設置し、制御盤１の扉４の内側あるいは表面をスクリーン２として使用し、機器の故障や運転状態等の情報を表示するようにした。【選択図】図１
2018078732.tif 000002
【特許請求の範囲】
【請求項１】
プロジェクターと、入力信号に応じてデータ処理を行い前記プロジェクターに映像出力を表示情報として供給する信号処理部とを具備した情報表示装置本体を扉が設けられた制御盤内に設置するとともに、前記表示情報を前記プロジェクターからの投影画像として前記制御盤の扉面に投影するようにしたことを特徴とする制御盤用情報表示装置。
【請求項２】
前記制御盤の扉面に前記制御盤に収納された機器の配置に係る内部図の映像を投影し、前記内部図の映像における対象機器を示す個所に当該対象機器についての情報を表示することを特徴とする請求項１に記載の制御盤用情報表示装置。
【請求項３】
前記扉に背面投影スクリーンを形成した窓部を設け、前記背面投影スクリーンに前記プロジェクターからの映像を投影して、前記プロジェクターの投影画像を扉表面で確認するようにしたことを特徴とする請求項１または請求項２に記載の制御盤用情報表示装置。
【請求項４】
前記制御盤の扉面に表示情報を投影するとともに、前記扉面の表示情報を投影する箇所に操作用スイッチを設置し、このスイッチの外形部分にそれぞれの操作用途の映像を重なるように映して、前記スイッチを情報表示装置とリンクさせることで、スクリーン画面上の操作が可能な機能を備えたことを特徴とする請求項１に記載の制御盤用情報表示装置。
【請求項５】
前記制御盤の扉内側をスクリーンとして使用し、表示情報を前記プロジェクターにより投影するとともに、前記制御盤扉内側のスクリーン画面を直接検知可能な箇所に操作検知装置を設置し、前記スクリーンを画面操作することにより前記操作検知装置にて操作位置を判別させた情報を前記情報表示装置本体にてデータ処理を行うことで、前記スクリーン上の画面操作が可能な機能を備えたことを特徴とする請求項１に記載の制御盤用情報表示装置。
【請求項６】
プロジェクターと、入力信号に応じてデータ処理を行い前記プロジェクターに映像出力を表示情報として供給する信号処理部とを具備した情報表示装置本体を制御盤内に設置するようにした制御盤用情報表示装置において、前記制御盤の扉内側に前記情報表示装置本体を設置し、前記制御盤に収納された機器の異常時に、当該異常機器の外形部分へ前記プロジェクターからの影像を重ねることで、異常箇所を直接確認できる機能を備えたことを特徴とする制御盤用情報表示装置。
【請求項７】
前記制御盤に収納された機器の異常時に、当該異常機器の外形部分へ前記プロジェクターからの色表示の影像を重ねることを特徴とする請求項６に記載の制御盤用情報表示装置。
【発明の詳細な説明】
【技術分野】
【０００１】
本発明は、制御盤における機器故障や運転状態等の状態表示を見やすくするための制御盤用情報表示装置に関するものである。
【背景技術】
【０００２】
従来の制御盤における機器故障や運転状態等の状態表示は、ＬＥＤランプによる表示とそのランプの意味を印刷した取扱説明書を見て確認していた。また、先行特許文献１のように、制御盤の扉に大画面の液晶モジュールを組み付け、設備故障等の際、液晶モジュールにて故障部分の画像を表示しているものもあった。
【先行技術文献】
【特許文献】
【０００３】
【特許文献１】実用新案登録第３２０１３８４号公報（第４頁、第１図）
【発明の概要】
【発明が解決しようとする課題】
【０００４】
従来の機器故障や運転状態等の状態表示は、上述のように盤内に設置した装置に装着したＬＥＤランプによる表示とそのランプの意味を印刷した取扱説明書を見て確認していた。
しかし、機器の小型化が進んでいるため、表示面積が小さくなっており、運転状態等の表示のランプや文字が小さく見え難くなっている。また、表示面積が限られているため、情報量が少なく分かり難いという問題点があった。
【０００５】
さらに、先行特許文献１においては、制御盤の扉に液晶モジュールを組み付けるため、扉側に器具取付スペースを確保する必要性があり、容易に取付けることができないという問題点があった。
【０００６】
本発明は、上記のような課題を解決するためになされたものであり、表示用の液晶モジュール等を必要とせず、制御盤内の器具取付スペースに簡易に取付けでき、見やすい画面で比較的多くの情報を表示できる制御盤に内蔵した制御盤用情報表示装置を得ることを目的とする。
【課題を解決するための手段】
【０００７】
本発明に係る制御盤用情報表示装置は、プロジェクターと、入力信号に応じてデータ処理を行い前記プロジェクターに映像出力を表示情報として供給する信号処理部とを具備した情報表示装置本体を扉が設けられた制御盤内に設置するとともに、前記表示情報を前記プロジェクターからの投影画像として前記制御盤の扉面に投影するようにしたものである。
また、本発明に係る制御盤用情報表示装置は、プロジェクターと、入力信号に応じてデータ処理を行い前記プロジェクターに映像出力を表示情報として供給する信号処理部とを具備した情報表示装置本体を制御盤内に設置するようにした制御盤用情報表示装置において、前記制御盤の扉内側に前記情報表示装置本体を設置し、前記制御盤に収納された機器の異常時に、当該異常機器の外形部分に前記プロジェクターからの影像を重ねることで、異常箇所を直接確認できる機能を備えたものである。
【発明の効果】
【０００８】
本発明によれば、制御盤の扉面で比較的多くの情報量を表示でき、かつ見やすくなるため、表示情報により実行される作業の効率が高くなるととともに、制御盤製作時における扉加工作業等が不要となり、新設する盤に限らず既設の盤へも容易に設置できる。
また、本発明によれば、制御盤に収納された機器の異常時に異常箇所が一目で分かる制御盤用情報表示装置を得ることができる。
【図面の簡単な説明】
【０００９】
【図１】本発明に係る形態１における制御盤用情報表示装置の構成を示す斜視図である。
【図２】本発明に係る形態１における制御盤用情報表示装置の本体を示す斜視図である。
【図３】本発明に係る形態１における制御盤用情報表示装置の動作を説明するためのブロック図である。
【図４】本発明に係る形態２における制御盤用情報表示装置の構成を示す斜視図である。
【図５】本発明に係る形態３における制御盤用情報表示装置の構成を示す斜視図である。
【図６】本発明に係る形態４における制御盤用情報表示装置の構成を示す斜視図である。
【図７】本発明に係る形態５における制御盤用情報表示装置の構成を示す斜視図である。
【図８】本発明に係る形態６における制御盤用情報表示装置の構成を示す斜視図である。
【発明を実施するための形態】
【００１０】
以下、本発明の制御盤用情報表示装置の実施の形態につき図を用いて説明する。
実施の形態１．
図１は、本発明に係る実施の形態１の制御盤用情報表示装置の構成を示す斜視図であり、制御盤１の扉４を開いた状態を示している。制御盤１の器具取付部５には、情報表示装置本体３が設置されており、必要情報を扉４の内側面４Ａにおけるスクリーン２へ投影するよう構成されている。
【００１１】
図２は、情報表示装置本体３の具体的な構成を示す斜視図である。情報表示装置本体３は小型サイズのプロジェクター部６と制御用のマイコンボード部７を備え、また、制御盤１の器具取付部５に設置する際、より簡易に取付けできるように、器具パネル取付用の取付穴１２と金属製レール取付機構１３を設けている。
また、器具取付部５に設置した情報表示装置本体３の入力部であるコネクタ１４へ機器故障や運転状態等の情報を信号線１５にて接続し、情報表示装置本体３に信号情報を伝達している。
【００１２】
さらに、入力した故障・状態信号をマイコンボード部７にてデータ処理を行い、プロジェクター部６にて故障・状態情報や対応方策・図面情報を扉４の内側面４Ａにおけるスクリーン２へ投影している。
【００１３】
次に動作について図３を用いて説明する。
制御盤１の器具取付部５に情報表示装置本体３を設置し、機器故障や運転状態等の信号の接点と情報表示装置本体３の入力部のコネクタ１４を接続する。
そして、各機器から故障・運転状態等の信号が出力されると情報表示装置本体３のコネクタ１４よりマイコンボード部７へ信号情報が伝達され、マイコンボード部７の入力信号変換部７ａおよびデータ処理部７ｂにより画像データをプロジェクター部６へ出力する。その信号を用いて、プロジェクター部６より目的の映像をスクリーン２へ出力する。
【００１４】
扉４内側へ映像を出力する際、扉４には開閉角度があり、その角度が変わると表示しているスクリーン２の大きさが投影距離により変わるため、スクリーン２の画面調整を行う。ピント調節は、レンズシフト部９のフォーカス調節１１にて調節する。また、画面の大きさ調整は、レンズシフト部９のズーム調整１０にて調節することで、扉４の開度変更に伴うスクリーン２の画面調節を行う。
【００１５】
さらに、画面の上下位置を調節するために設けたレンズ回転部アーム８により、上下位置の調節を行う。また、これらの調節を行うことで、地面や天井をスクリーン２として表示することが可能であり、スクリーン２の表示画面箇所として、自由度が高い構造としている。
【００１６】
扉４の内側面４Ａにおけるスクリーン２は大画面であるので、情報量を多量に表示することができる。そのため、事前にマイコンボードに制御盤内の回路図や機器に関する情報として、設備情報や故障・状態の情報を入力する機器の位置座標、故障・状態異常に対する対応方策や図面情報をマイコンボード部７へ記憶させておくことで、詳細な情報を表示することができる。
その結果、故障などの際に、より迅速な対応を行うことができ、信頼性の高い装置を得ることができる。
【００１７】
この発明に係る実施の形態１における制御盤用情報表示装置は、映像投射手段としての小型の映像プロジェクターからなるプロジェクター部６と、入力信号に応じてデータ処理を行い前記プロジェクター部６に映像出力を表示情報として供給するマイコンボード部７からなる信号処理部とを具備した情報表示装置本体３を、片開きの開き戸からなる扉４が設けられ、前記扉４はその閉合時に閉塞する制御盤１の開口部ＰＧの側縁部分に設けられたヒンジ部ＨＧに側縁部を回動自在に枢着される、制御盤１内に設置するとともに、機器の故障や運転状態等の表示情報を前記プロジェクター部６からの投影画像として前記制御盤１に設けた扉４の内側面４Ａにおける扉面をスクリーン２として投影し、扉４がその閉合時に閉塞する制御盤１の開口部ＰＧにおける開口面の延在方向と直角方向の水平位置で垂直に延在する開放状態とされており、ストッパ等で係止されて停止状態にされている扉４の内側面４Ａにおける前記扉面をスクリーン２として、このスクリーン２に前記表示情報を表示するものであって、制御盤１の開口部ＰＧにおける開口面の前方において前記表示情報を視認できるようにしたことを特徴とする。
この構成により、小型プロジェクターとマイコンボードを搭載した機器を制御盤内に取付け、小型プロジェクターより制御盤の扉内側をスクリーンとして映像情報を投影しており、従来のＬＥＤランプによる表示とそのランプの意味を印刷した取扱説明書によって示される故障・状態表示と比べて大画面になるので、情報量が多く表示でき、かつ見やすくなるため、メンテナンス確認作業の効率が高くなる効果が得られる。また、先行技術のような液晶モジュールに比べ、液晶モジュール取付用の扉加工作業等が不要となり、新設する盤に限らず既設の盤へも容易に設置できる。
【００１８】
実施の形態２．
本実施形態２では、機器故障や、運転状態等の表示をさらに発見しやすい構成にした場合について説明する。
【００１９】
以下、この発明に係る実施の形態２を図４に基づいて説明する。
上記実施の形態１では、機器故障や運転状態等の情報を制御盤１の器具取付部５へ設置した情報表示装置本体３に入力し、扉４の内側面４Ａをスクリーン２として、機器の詳細情報を投影する場合について述べたが、この実施の形態２では、図４に示すように投影する情報として、扉４の内側面４Ａにおける扉面に制御盤１に収納された機器の配置に係る制御盤内部図の映像を表示させる。
この実施の形態２によれば、機器故障や運転状態等の情報を情報表示装置本体３に取り込み、信号情報の投影時に対象機器の位置情報と信号情報を照合し、機器の故障・状態異常が発生した際に、その異常発生した機器の制御盤内部図の映像上に故障や、表示１６のように運転状態等の情報を表示させる。その結果、異常箇所をより分かり易く表示することができる。
【００２０】
この発明に係る実施の形態２における制御盤用情報表示装置は、前述した実施の形態１での構成において、前記制御盤１の内側面４Ａでの扉面に前記制御盤１の機器配置に係る内部図の映像を投影し、前記内部図の映像における対象機器を示す個所に当該対象機器についての故障や運転状態等の情報を表示することで、故障・メンテナンス時において、詳細に故障・運転状態等の情報を確認する機能を備えたことを特徴とする。
この構成により、機器の故障・状態異常が発生した際に、その異常発生した機器の制御盤内部図の映像上に故障や運転状態等の状況表示１６のように機器情報を表示させることができ、異常箇所を明示して故障・運転状態等の情報をより分かり易く表示することができる。
【００２１】
実施の形態３．
本実施形態３では、故障表示や状態表示を器具取付部に直接投影し、状態異常をさらに発見やすい構成にした場合について説明する。
【００２２】
以下、この発明の実施形態３を図５に基づいて説明する。
上記実施の形態１および実施の形態２では、機器故障や運転状態等の情報を制御盤１の器具取付部５へ設置した情報表示装置本体３に入力し、扉４の内側面４Ａにおける扉面をスクリーン２として、機器詳細情報を投影する場合について述べたが、この実施形態３では、図５に示すように、扉４の内側面４Ａにおける扉面へ情報表示装置本体３を設置して、器具取付部５全体が写るように投影画面を調節させる。
【００２３】
次に、機器故障や運転状態等の情報を情報表示装置本体３に取り込み、対象機器の位置情報と信号情報を照合させる。さらに、機器の故障、状態異常が発生した際に、その異常信号を検知した機器の制御盤１の器具取付部５上に色表示１７（例えば赤色）のように表示することで、異常箇所を一目で分かる装置を得ることができる。故障・異常の程度に応じて予め表示色を決めておけば、一目で故障箇所およびその程度を判別できる。
【００２４】
この発明に係る実施の形態３における制御盤用情報表示装置は、映像投射手段としての小型の映像プロジェクターからなるプロジェクター部６と、入力信号に応じてデータ処理を行い前記プロジェクター部６に映像出力を表示情報として供給するマイコンボード部７からなる信号処理部とを具備した情報表示装置本体３を扉４を有する制御盤１内に設置するようにした制御盤用情報表示装置において、前記制御盤１の内側面４Ａでの扉内側に前記情報表示装置本体３を設置し、制御盤１の内部に収納した機器の故障・状態異常時に、当該異常機器の外形部分を含む異常箇所へ前記プロジェクター部６からの影像を重ねることで、故障や状態異常箇所を直接確認できる機能を備えたことを特徴とする。
この構成により、制御盤に収納した機器の異常時に異常箇所が一目で分かる制御盤用情報表示装置を得ることができる。
【００２５】
また、この発明に係る実施の形態３における制御盤用情報表示装置は、前項の構成において、制御盤１の内部に収納した機器の故障・状態異常時に、当該異常機器の外形部分を含む異常箇所へ前記プロジェクター部６からの色表示の影像を重ねることで、詳細に故障や状態異常箇所を直接確認できる機能を備えたことを特徴とする。
この構成により、制御盤に収納した機器の異常時に異常箇所が色付けされて一目で分かる制御盤用情報表示装置を得ることができる。
【００２６】
実施の形態４．
本実施形態４では、機器故障や運転状態等の表示に対して、扉４表面に情報投影し、液晶モジュールを不要な構成にした場合について説明する。
【００２７】
以下、この発明の実施形態４を図６に基づいて説明する。
上記実施の形態１〜３では、液晶モジュールを使用しないで、扉４内側、器具取付部５を表示画面として、状態・故障情報の投影手段について述べたが、図６に示すように、扉４の表面２０にフロート強化ガラス１８を嵌め込んで窓部ＷＤを設け、リア透過フィルム１９をガラス面に貼付けて窓部ＷＤに背面投影スクリーン２Ｓを形成する。この背面投影スクリーン２Ｓはプロジェクター６から投影される映像出力の出力量の一部を背面である投影側から反投影側へと透過させる透過スクリーンからなるものであって、背面投影スクリーン２Ｓの背面にプロジェクター６からの映像を投影することにより、扉４の表面２０で前記映像出力による画像を視認できるようにするものである。
【００２８】
そして、情報表示装置本体３は、扉４内側投影時より左右反転して写るようプロジェクター部６にて処理を行い、背面投影スクリーン２Ｓを形成するリア透過フィルム１９上に映像出力させることにより、扉４を閉めた状態で、扉４の表面２０へ機器故障や運転状態等の情報を投影することができる。また、液晶モジュールを使用しないので、扉加工と配線を必要とせずに扉表面２０へ情報を表示する装置を得ることができる。
【００２９】
この発明に係る実施の形態４における制御盤用情報表示装置は、前述した実施の形態１から実施の形態３までのそれぞれの構成において、扉４に設けた窓部ＷＤに装着される窓ガラス１８からなる板状透明体を設け、その窓ガラスからなる板状透明体にリア透過フィルム１９からなる光透過フィルムを貼付けにより付着することで、窓部ＷＤに前記プロジェクター６からの映像が投影される透過スクリーンなどの背面投影スクリーン２Ｓを形成し、前記背面投影スクリーン２Ｓの背面に前記プロジェクター６からの映像を投影して、背面投影スクリーン２Ｓの前面から視認できるようにし、前記プロジェクター６の投影画像を扉４の表面２０側で確認するようにしたことを特徴とする。
この構成により、扉加工と配線を必要とせずに扉４を閉めた状態で扉４の前面側における扉表面２０へ情報を表示する装置を得ることができ、閉合された扉４の正面前方から情報表示を視認できる。
【００３０】
実施の形態５．
本実施形態５では、機器故障や運転状態等の表示をして、表示画面を操作する構成にした場合について説明する。
【００３１】
以下、この発明の実施形態５を図７に基づいて説明する。
上記実施の形態１では、機器故障や運転状態等の情報を制御盤１の器具取付部５へ設置した情報表示装置本体３に入力し、扉４の内側をスクリーン２として、機器の詳細情報を投影する場合について述べたが、図７に示すように、制御盤１の扉４内側に無表示のワイヤレススイッチ２１を設置する。
【００３２】
そして、情報表示装置本体３に無線ＬＡＮを搭載し、ワイヤレススイッチ２１と無線通信させる。次に、ワイヤレススイッチ２１の設置箇所へ情報表示装置本体３より各スイッチ用途の情報が重なるように投影させる。さらに、ワイヤレススイッチ２１を押すと、各スイッチの用途処理ができるように情報表示装置本体３のマイコンボード部７にてデータ処理を行い、スイッチの用途通りの動作をするように制御を行う。
【００３３】
動作例として、○○軽故障の図面情報を見る場合、ワイヤレススイッチ２１「５」、「６」にて必要な項目を上下移動させ、図面情報を選択する。ワイヤレススイッチ２１の選択を押すと図面情報の詳細画面が閲覧できる。
【００３４】
スイッチを表示用途に応じて選択したとおり操作できるようにすることで、パソコンやタブレット等を使用せずに、情報閲覧ができ、操作も簡単に行うことができるため、効率化を図ることができる。
【００３５】
この発明に係る実施の形態５における制御盤用情報表示装置は、前記制御盤１における扉４の扉内側４Ａでの扉面をスクリーンとして使用し、各機器の故障や運転状態等の表示情報を投影するとともに、前記制御盤１における扉４の扉内側４Ａでの扉面の表示情報を投影する箇所に複数の操作用スイッチ２１を設置し、これらのスイッチ２１に各スイッチそれぞれの操作用途の映像を重なるように映して、前記スイッチ２１を情報表示装置本体３とリンクさせることで、スクリーン画面上の操作が可能な機能を備えたことを特徴とする。
この構成により、スイッチを表示用途に応じて選択したとおり操作できるようにすることで、パソコンやタブレット等を使用せずに、情報閲覧ができ、操作も簡単に行うことができるため、効率化を図ることができる。
【００３６】
実施の形態６．
本実施形態６では、故障、運転状態等の表示し、投影画面を直接操作することで、さらに操作しやすい構成にした場合について説明する。
【００３７】
以下、この発明の実施形態６を図８に基づいて説明する。
上記実施の形態１〜５では、機器故障や運転状態等の信号を制御盤１の内部へ設置した情報表示装置本体３に入力し、扉４内側または、器具取付部５をスクリーン２として、機器の詳細情報を投影し、その情報閲覧と操作手段について述べたが、この実施の形態６では、図８に示すように、ＰＳＤ距離感知センサ２２を扉内側４の上部辺に横一列に取付け、扉内側４のスクリーン２へ位置、大きさを固定出力し、横軸と縦軸を固定させる。
【００３８】
そして、情報表示装置本体３とＰＳＤ距離感知センサ２２に無線ＬＡＮを設けて無線通信させる。
次に、スクリーン２画面上にて操作を行う場合、各ＰＳＤ距離感知センサ２２の位置を横軸とし、ＰＳＤ距離感知センサ２２により距離Ｄを感知した距離感知位置を縦軸として、操作位置２３より無線ＬＡＮを経由し、情報表示装置本体３に送る。
【００３９】
さらに、スクリーン２とＰＳＤ距離感知センサ２２による感知位置をマイコンボード部７にてスクリーン２における文字表示位置と操作位置２３の情報を照合させ、操作位置２３を「選択」させるようにデータ処理を行う。
その結果、スクリーン２を直接操作する感覚で操作ができ、目的の情報閲覧や機器の操作ができ、効率化を図ることができる。
【００４０】
この発明に係る実施の形態６における制御盤用情報表示装置は、前述した実施の形態１における構成において、前記制御盤１の扉４の内側面４Ａにおける扉面をスクリーン２として使用し、各機器の故障や運転状態等の表示情報を前記プロジェクター部６により投影するとともに、前記制御盤１における扉４の内側面４Ａにおけるスクリーン２のスクリーン画面を直接検知可能な箇所にＰＳＤ距離感知センサ２２からなる操作検知装置を設置し、前記スクリーン２を画面操作することにより前記操作検知装置にて操作位置を判別させた情報を前記情報表示装置本体３にてデータ処理を行うことで、前記スクリーン２上の画面操作が可能な機能を備えたことを特徴とする。
この構成により、スクリーン２を直接操作する感覚で操作ができ、目的の情報閲覧や機器の操作ができ、効率化を図ることができる。
【００４１】
なお、本発明は、その発明の範囲内において、各実施の形態の一部または全部を自由に組み合わせたり、各実施の形態を適宜、変形、省略することが可能である。
【符号の説明】
【００４２】
１  制御盤、  ２  スクリーン、  ２Ｓ  背面投影スクリーン、３  情報表示装置本体、４  扉、  ５  器具取付部、６  プロジェクター部、７  マイコンボード部、
８  レンズ回転部アーム、  ９  レンズシフト部、１０  ズーム調節部、
１１  フォーカス調節部、  １２  取付穴、１３  金属製レール取付機構、
１４  コネクタ、  １５  信号線、１６  状況表示、１７  色表示、
１８  フロート強化ガラス、１９  リア透過フィルム、２０  扉表面、
２１  ワイヤレススイッチ、２２  ＰＳＤ距離感知センサ、２３  操作位置。
【図１】
2018078732.tif 000003
【図２】
2018078732.tif 000004
【図３】
2018078732.tif 000005
【図４】
2018078732.tif 000006
【図５】
2018078732.tif 000007
【図６】
2018078732.tif 000008
【図７】
2018078732.tif 000009
【図８】
2018078732.tif 000010